(57)【要約】【課題】スラブ貫通型短管からコンクリートスラブに伝わる排水時の振動を従来よりも小さくできるようにして、建物の各室に排水の振動が伝わり難くする。【解決手段】本発明に係る排水設備では、スラブ貫通型短管１０はコンクリートスラブＣＨに固定されており、そのスラブ貫通型短管１０の上端部に設けられた上部受け口１２に上階の排水管継手２０の下端部２６がシール材１３を介して接続されており、スラブ貫通型短管１０の下端部に設けられた下端接続部１４に下階の排水立て管３２がシール材１４ｓを介して接続されており、スラブ貫通型短管１０は、少なくとも上部受け口１２と下端接続部１４との間の肉厚寸法が、上階における排水管継手２０の下端部２６の肉厚寸法及び下階の排水立て管３２の肉厚寸法よりも大きく設定されている。このため、スラブ貫通型短管１０には上階の排水管継手２０等の振動が伝わり難く、さらにスラブ貫通型短管１０自身も振動し難く構成されている。【選択図】      図１
2005036467.tif 000002
【特許請求の範囲】
【請求項１】
建物の各階を仕切るコンクリートスラブの貫通孔に通されたスラブ貫通型短管によって上階の排水管継手と下階の排水立て管とが接続される構成の排水設備であって、
前記スラブ貫通型短管は前記コンクリートスラブに固定されており、
そのスラブ貫通型短管の上端部に設けられた上部受け口に上階の排水管継手の下端部がシール材を介して接続されており、
前記スラブ貫通型短管の下端部に設けられた下端接続部に下階の排水立て管がシール材を介して接続されており、
前記スラブ貫通型短管は、少なくとも上部受け口と下端接続部との間の肉厚寸法が、上階における排水管継手の下端部の肉厚寸法及び下階の排水立て管の肉厚寸法よりも大きく設定されていることを特徴とする排水設備。
【請求項２】
請求項１に記載の排水設備であって、
スラブ貫通型短管の少なくとも上部受け口と下端接続部との間の肉厚寸法が、上階の排水管継手の下端部における肉厚寸法の約１．４倍から２．０倍の間に設定されていることを特徴とする排水設備。
【請求項３】
請求項１又は請求項２のいずれかに記載の排水設備であって、
スラブ貫通型短管の下端接続部は、下階の排水立て管の上部受け口に挿入接続される構成であり、
そのスラブ貫通型短管の下端接続部の肉厚寸法が前記排水立て管の肉厚寸法とほぼ等しい値に設定されていることを特徴とする排水設備。
【請求項４】
請求項１から請求項３のいずれかに記載の排水設備であって、
スラブ貫通型短管には、上部受け口と下端接続部との間に、その下端接続部側が小径となるようなテーパが設けられていることを特徴とする排水設備。
【請求項５】
請求項１から請求項４のいずれかに記載の排水設備であって、
スラブ貫通型短管の内側壁には、流下する排水を螺旋状に旋回させるための旋回ガイドが設けられていることを特徴とする排水設備。
【請求項６】
建物の各階を仕切るコンクリートスラブの貫通孔に胴部が通されたスラブ貫通型管継手によって上階の排水立て管及び排水横枝管と下階の排水立て管とが接続される構成の排水設備であって、
前記スラブ貫通型管継手の胴部は前記コンクリートスラブに固定されており、
その胴部の上端部に設けられた上部受け口に上階の排水立て管がシール材を介して接続されており、
前記胴部の側面に設けられた横枝管受け口に上階の排水横枝管がシール材を介して接続されており、
前記胴部の下端部に設けられた下端接続部に下階の排水立て管がシール材を介して接続されており、
前記胴部は、少なくとも前記横枝管受け口と下端接続部との間の肉厚寸法が、上階あるいは下階の排水立て管の肉厚寸法よりも大きな値に設定されていることを特徴とする排水設備。
【請求項７】
請求項６に記載の排水設備であって、
胴部の少なくとも横枝管受け口と下端接続部との間の肉厚寸法は、排水立て管の肉厚寸法の約１．２倍から１．７倍の間に設定されていることを特徴とする排水設備。
【発明の詳細な説明】
【０００１】
【発明の属する技術分野】
本発明は、建物の各階を仕切るコンクリートスラブの貫通孔に通されたスラブ貫通型短管及びスラブ貫通型管継手によって、上階の排水管と下階の排水管とが接続される構成の排水設備に関する。
【０００２】
【従来の技術】
これに関連する従来の排水設備が特許文献１に記載されており、その排水設備を表す一部破断側面図が図７に示されている。
図７に示すように、建物の各階を仕切るコンクリートスラブＣＳには貫通孔ＣＨが形成されており、その貫通孔ＣＨにスラブ貫通型短管９０が通されている。スラブ貫通型短管９０は、上部受け口９２と下端接続部９４とを備えており、その上部受け口９２の上端面がコンクリートスラブＣＳの上面とほぼ等しい高さになるように、埋め戻しモルタルＭによってコンクリートスラブＣＳに固定されている。スラブ貫通型短管９０の上部受け口９２には上階の排水管継手９６の下端部９６ｄが挿入され、両者９２，９６がシール材９７を介した状態で接続されている。また、スラブ貫通型短管９０の下端接続部９４には下階の排水立て管９８が挿入され、両者９４，９８が同じくシール材（図示省略）を介した状態で接続されている。
スラブ貫通型短管９０の肉厚寸法は、排水立て管９８及び排水横枝管９９の肉厚寸法とほぼ等しい値に設定されている。
【０００３】
【特許文献１】
特開２００１−１０７４０９
【０００４】
【発明が解決しようとする課題】
上記した排水設備によると、スラブ貫通型短管９０の上部受け口９２と排水管継手９６との間、及びスラブ貫通型短管９０の下端接続部９４と排水立て管９８との間にはシール材９７が介在されている。このため、排水管継手９６及び排水立て管９８の振動がある程度シール材９７の部分で吸収され、その振動がスラブ貫通型短管９０及びコンクリートスラブＣＳには伝わり難くなっている。
しかし、例えば、トイレから大流量の排水が瞬間的に排水横枝管９９から排水管継手９６に流入した場合、図７に示すように、前記排水は排水管継手９６の内部空間を横切ってその排水管継手９６の内側壁からスラブ貫通型短管９０の内側壁に衝突するようになる。この場合、排水管継手９６のみならずスラブ貫通型短管９０も振動し、その振動がコンクリートスラブＣＳを介して室内にまで伝達される。このように、上記した排水設備では、シール材９７である程度の振動を吸収できても、大流量の排水が流れるとその振動（音）が室内まで伝わってしまうという問題がある。
【０００５】
本発明は、上記した問題点を解決するためになされたものであり、本発明が解決しようとする課題は、スラブ貫通型短管からコンクリートスラブに伝わる排水時の振動を従来よりも小さくすることで、建物の各室内における快適さを保持できるようにすることである。
【０００６】
【課題を解決するための手段】
上記した課題は、各請求項の発明によって解決される。
請求項１の発明は、建物の各階を仕切るコンクリートスラブの貫通孔に通されたスラブ貫通型短管によって上階の排水管継手と下階の排水立て管とが接続される構成の排水設備であって、前記スラブ貫通型短管は前記コンクリートスラブに固定されており、そのスラブ貫通型短管の上端部に設けられた上部受け口に上階の排水管継手の下端部がシール材を介して接続されており、前記スラブ貫通型短管の下端部に設けられた下端接続部に下階の排水立て管がシール材を介して接続されており、前記スラブ貫通型短管は、少なくとも上部受け口と下端接続部との間の肉厚寸法が、上階における排水管継手の下端部の肉厚寸法及び下階の排水立て管の肉厚寸法よりも大きく設定されていることを特徴とする。
ここで、排水管継手及び排水立て管の肉厚寸法とは、排水管継手及び排水立て管が、例えば、耐火二層構造の場合には内管部分の肉厚寸法をいうものとする。
【０００７】
本発明によると、上階の排水管継手とスラブ貫通型短管との間、及び下階の排水立て管とスラブ貫通型短管との間にはシール材が介在されているため、そのシール材の働きで上階の排水管継手及び下階の排水立て管の振動がコンクリートスラブに固定されているスラブ貫通型短管に伝わり難くなる。
また、スラブ貫通型短管は、少なくともスラブ貫通型短管の上部受け口と下端接続部との間、即ち、排水が衝突する部分（排水衝突部分）の肉厚寸法が上階の排水管継手の下端部及び下階の排水立て管の肉厚寸法よりも大きく設定されている。このため、スラブ貫通型短管における排水衝突部分の剛性が高くなり、スラブ貫通型短管の内側壁に排水が衝突することによるスラブ貫通型短管の振動を抑えることができる。
このように、スラブ貫通型短管には上階の排水管継手等の振動が伝わり難く、さらにスラブ貫通型短管自身も振動し難く構成されているため、スラブ貫通型短管からコンクリートスラブに伝わる排水時の振動を従来よりも小さくできる。このため、建物の各室に排水を流す時の振動が伝わり難くなり、室内での快適さを保持できるようになる。
【０００８】
請求項２の発明に示すように、スラブ貫通型短管の少なくとも上部受け口と下端接続部との間の肉厚寸法は、上階の排水管継手の下端部における肉厚寸法の約１．４倍から２．０倍の間に設定するのが好ましい。
請求項３の発明によると、スラブ貫通型短管の下端接続部は、下階の排水立て管の上部受け口に挿入接続される構成であり、そのスラブ貫通型短管の下端接続部の肉厚寸法が前記排水立て管の肉厚寸法とほぼ等しい値に設定されている。即ち、スラブ貫通型短管の外径寸法を排水立て管の外径寸法と等しく設定できるため、スラブ貫通型短管の下端接続部を排水立て管の上部受け口のみならず種々の継手の受け口に接続できるようになる。このため、スラブ貫通型短管の利用範囲が広くなる。
請求項４の発明によると、スラブ貫通型短管には、上部受け口と下端接続部との間に、その下端接続部側が小径となるようなテーパが設けられている。このため、スラブ貫通型短管をコンクリートスラブの貫通孔に通した後、その貫通孔をモルタルで埋め戻すことにより、スラブ貫通型短管はテーパの働きで固化したモルタルに支持されるようになる。このため、スラブ貫通型短管をコンクリートスラブに固定するための金具等が不要となる。
【０００９】
請求項５の発明によると、スラブ貫通型短管の内側壁には、流下する排水を螺旋状に旋回させるための旋回ガイドが設けられている。このため、スラブ貫通型短管の部分で流下する排水を螺旋状に旋回させることができ、排水管継手の胴部内に旋回ガイドを設ける必要がなくなる。
請求項６の発明は、建物の各階を仕切るコンクリートスラブの貫通孔に胴部が通されたスラブ貫通型管継手によって上階の排水立て管及び排水横枝管と下階の排水立て管とを接続する構成の排水設備であって、前記スラブ貫通型管継手の胴部は前記コンクリートスラブに固定されており、その胴部の上端部に設けられた上部受け口に上階の排水立て管がシール材を介して接続されており、前記胴部の側面に設けられた横枝管受け口に上階の排水横枝管がシール材を介して接続されており、前記胴部の下端部に設けられた下端接続部に下階の排水立て管がシール材を介して接続されており、前記胴部は、少なくとも前記横枝管受け口と下端接続部との間の肉厚寸法が、上階あるいは下階の排水立て管の肉厚寸法よりも大きな値に設定されていることを特徴とする。
【００１０】
本発明によると、スラブ貫通型管継手の胴部は、少なくとも横枝管受け口と下端接続部との間の肉厚寸法が、上階あるいは下階の排水立て管の肉厚寸法よりも大きな値に設定されている。このため、胴部の横枝管受け口と下端接続部との間、即ち、横枝管受け口から流入する排水が衝突する部分の剛性が高くなり、その排水が衝突することによるスラブ貫通型管継手の振動を抑えることができる。
したがって、排水が流れる時の振動がスラブ貫通型管継手からコンクリートスラブを介して建物の室内に伝わり難くなる。
ここで、胴部の少なくとも横枝管受け口と下端接続部との間の肉厚寸法は、請求項７に示すように、排水立て管の肉厚寸法の約１．２倍から１．７倍の間に設定するのが好ましい。
【００１１】
【発明の実施の形態】
［実施形態１］
以下、図１に基づいて本発明の実施形態１に係る排水設備の説明を行う。本実施形態に係る排水設備は、マンション等の集合住宅における排水設備であり、図１にその部分縦断面図が示されている。
集合住宅における排水設備は、各々の家庭から排出される排水をまとめて排水桝等（図示されていない）まで導くための設備である。排水設備は、集合住宅の各階を仕切るコンクリートスラブＣＳの貫通孔ＣＨに通されるスラブ貫通型短管１０と、排水管継手２０と、排水立て管３２及び排水横枝管３４等とから構成されている。
【００１２】
スラブ貫通型短管１０は、コンクリートスラブＣＳの厚み寸法よりも大きな長さ寸法を有する短管であり、その上端部に上部受け口１２が形成されている。また、スラブ貫通型短管１０の下端部に下端接続部１４が設けられている。
上部受け口１２は、排水管継手２０の下端部２６が挿入接続される部分であり、その上部受け口１２の内側に略筒状のシール材１３が嵌め込まれている。このため、排水管継手２０の下端部２６を上部受け口１２に挿入することで、排水管継手２０の下端部２６と上部受け口１２間は弾性変形したシール材１３によってシールされ、排水管継手２０とスラブ貫通型短管１０とは軸方向及び軸心回りに相対移動可能な状態で接続される。
【００１３】
下端接続部１４は、排水立て管３２の上端部が挿入接続される部分であり、第１フランジ１４ｆを備える下部受け口１４ｄと、その第１フランジ１４ｆに連結される第２フランジ１４ｘとを有している。第１フランジ１４ｆと第２フランジ１４ｘとの間にはリング状のシール材１４ｓが挟まれており、両フランジ１４ｆ，１４ｘがボルト・ナット機構１４ｂにより連結されている。このため、排水立て管３２の上端部を第２フランジ１４ｘ、シール材１４ｓに通して下部受け口１４ｄに挿入し、ボルト・ナット機構１４ｂのナット等を締付けることにより、弾性変形したシール材１４ｓによってスラブ貫通型短管１０の下部受け口１４ｄと排水立て管３２との間がシールされる。即ち、スラブ貫通型短管１０の下端接続部１４と排水立て管３２とが軸方向及び軸心回りに相対移動可能な状態で接続される。
スラブ貫通型短管１０は鋳鉄製であり、その肉厚寸法は排水管継手２０の下端部２６における肉厚寸法の約１．４倍から２．０倍の間に設定されている。
【００１４】
排水管継手２０は、コンクリートスラブＣＳの床面上に設置される構成であり、図１において上階Ａの排水立て管３２と排水横枝管３４とをスラブ貫通型短管１０に接続する働きをする。
排水管継手２０は、略筒状の胴部２１を備えており、その胴部２１の上端部に排水立て管３２の下端部が挿入接続される上部受け口２２が形成されている。また、排水管継手２０の胴部２１の側面には排水横枝管３４の端部が挿入接続される横枝管受け口２４が形成されている。ここで、上部受け口２２及び横枝管受け口２４は、スラブ貫通型短管１０の上部受け口１２と基本的には同じ構造のため、説明を省略する。
【００１５】
次に、上記した排水設備の施工手順を説明する。
先ず、所定長さ寸法に裁断された排水立て管３２の下端部を下階Ｂの排水管継手２０（図示されていない）の上部受け口２２に挿入し、両者３２，２２をシール状態で接続する。排水立て管３２は鋳鉄管であっても良いし、樹脂内管の周囲を耐火繊維モルタルで覆った耐火二層管であっても良い。
次に、スラブ貫通型短管１０の周囲にほぼ均等に例えば防食テープ等（図示省略）を巻いた後、そのスラブ貫通型短管１０をコンクリートスラブＣＳの貫通孔ＣＨに通し、スラブ貫通型短管１０の下端接続部１４と排水立て管３２の上端部とを接続する。ここで、防食テープは、ポリエチレン系基材の表面を合成ゴム系粘着剤（自己融着層）で覆ったものが好ましい。なお、前記防食テープは施工前にスラブ貫通型短管１０の周囲に予め巻いておいてもよい。
【００１６】
排水立て管３２とスラブ貫通型短管１０の下端接続部１４との接続は、排水立て管３２の上端部を下端接続部１４の下部受け口１４ｄに挿入し、ボルト・ナット機構１４ｂのナット等を締付けることにより行う。これによって、第１フランジ１４ｆと第２フランジ１４ｘとの間に挟まれたシール材１４ｓが弾性変形し、そのシール材１４ｓによってスラブ貫通型短管１０の下端接続部１４と排水立て管３２との間がシールされ、両者１４，３２が接続される。
スラブ貫通型短管１０は、上部受け口１２の上端面がコンクリートスラブＣＳの上面Ｆとほぼ等しい高さ位置となるように位置決めされる。そして、スラブ貫通型短管１０が下階Ｂの排水立て管３２と接続された後に、コンクリートスラブＣＳの貫通孔ＣＨがモルタルＭによって埋め戻される。
【００１７】
次に、スラブ貫通型短管１０の上部受け口１２に排水管継手２０の下端部２６が挿入され、スラブ貫通型短管１０と排水管継手２０とがシールされた状態で接続される。次に、排水管継手２０の横枝管受け口２４に上階Ａの排水横枝管３４が接続されるとともに、その排水管継手２０の上部受け口２２に上階Ａの排水立て管３２が挿入接続される。
以下、上記と同様な手順が繰り返されることで、さらに上階の排水設備の施工が行われる。
【００１８】
このように、本実施形態に係る排水設備によると、上階Ａの排水管継手２０とスラブ貫通型短管１０との間、及び下階Ｂの排水立て管３２とスラブ貫通型短管１０との間にはシール材１３，１４ｓが介在されているため、そのシール材１３，１４ｓの働きで上階Ａの排水管継手２０及び下階Ｂの排水立て管３２の振動がコンクリートスラブＣＳに固定されているスラブ貫通型短管１０に伝わり難くなる。
また、スラブ貫通型短管１０は、少なくとも排水横枝管３４からの排水が衝突する部分（排水衝突部分）の肉厚寸法が上階の排水管継手２０及び下階の排水立て管３２の肉厚寸法よりも大きく設定されている（排水管継手２０の下端部２６の肉厚寸法の約１．４倍から２．０倍の間）。このため、スラブ貫通型短管１０の剛性が高くなり、スラブ貫通型短管１０の内側壁に排水が衝突することによるスラブ貫通型短管１０自身の振動を抑えることができる。
【００１９】
このように、スラブ貫通型短管１０には上階の排水管継手２０等の振動が伝わり難く、さらにスラブ貫通型短管１０自身も振動し難く構成されているため、スラブ貫通型短管１０からコンクリートスラブＣＳに伝わる排水時の振動を従来よりも小さくできる。このため、建物の各室に排水時の振動が伝わり難くなり、室内での快適さを保持できる。
また、スラブ貫通型短管１０の周囲には防食テープが巻かれているため、スラブ貫通型短管１０にモルタルＭ中の水分が接触することがなく、スラブ貫通型短管１０の腐食防止を図ることができる。また、防食テープによってスラブ貫通型短管１０の振動をある程度吸収できるとともに、モルタルＭに対するスラブ貫通型短管１０の熱伸縮分も吸収できるようになる。
【００２０】
さらに、スラブ貫通型短管１０の肉厚寸法が大きく設定されているため、そのスラブ貫通型短管１０の寿命が長くなる。このため、排水立て管３２等を更新する際にシール材１３，１４ｓを取り替えるだけで、スラブ貫通型短管１０を再利用できるようになる。また、スラブ貫通型短管１０の内面に付着したスライム等を刃物で切削する際に、その刃物が内壁に食い込んでもスラブ貫通型短管１０がひび割れすることはない。
【００２１】
［実施形態２］
以下、図２、図３に基づいて、本発明の実施形態２に係る排水設備の説明を行う。
本実施形態は、実施形態１における排水管継手２０の下端部２６の外径寸法を大きくし、それに合わせてスラブ貫通型短管１０の形状を変更したものである。また、複数本の排水横枝管をまとめて排水管継手の横枝管受け口に接続するために、排水ヘッダーを採用している。なお、その他の構造については基本的に実施形態１の場合と同様である。
【００２２】
本実施形態に係る排水管継手５０の胴部５１は、上部受け口５２から下端部５６までほぼ等しい径寸法で構成されている。胴部５１の上端部に形成された上部受け口５２は、呼び径１００ｍｍの排水立て管３２が挿入接続可能に構成されており、その外径寸法は約１５０ｍｍに設定されている。また、胴部５１の側面に形成された横枝管受け口５４は、呼び径１００ｍｍの排水ヘッダー６０が挿入接続可能に構成されている。さらに、排水管継手５０の下端部５６は、前述のように、胴部５１の中央部とほぼ等しい外径寸法（約１５０ｍｍ）で形成されており、後記するスラブ貫通型短管４０の上部受け口４２ｕに挿入接続される。
【００２３】
本実施形態に係るのスラブ貫通型短管４０は、上部受け口４２ｕが形成された大径部４２と、テーパ部４３と、下端接続部４４を備える小径部４５とから構成されている。上部受け口４２ｕは、実施形態１で説明したスラブ貫通型短管１０の上部受け口１２と等しい構造であり、その径寸法が排水管継手５０の下端部５６（外径寸法  約１５０ｍｍ）を収納可能な値に設定されている。また、下端接続部４４は、同じく実施形態１で説明したスラブ貫通型短管１０の下端接続部１４と等しい構造であり、呼び径１００ｍｍの排水立て管３２と接続可能な径寸法に設定されている。
排水立て管３２は耐火二層管であり、樹脂内管３２ｅの周囲を耐火繊維モルタル製の外管３２ｔで覆う構成である。ここで、樹脂内管３２ｅの材料には、塩化ビニルの他、ポリプロピレン、ポリエチレン等が使用される。
【００２４】
スラブ貫通型短管４０の大径部４２及びテーパ部４３の内側壁には、流下する排水を螺旋状に旋回させるための旋回ガイド４７がほぼ対向した状態で設けられている。
スラブ貫通型短管４０は、実施形態１の場合と同様に、鋳鉄製であり、その肉厚寸法は排水管継手５０の下端部５６における肉厚寸法の約１．４倍から２．０倍の間に設定されている。
【００２５】
排水管継手５０の横枝管受け口５４に挿入接続される排水ヘッダー６０は、略筒状に形成されて、先端部に配管接続部６１が設けられており、基端部６２（呼び径１００ｍｍ）がその排水管継手５０の横枝管受け口５４に接続されるように構成されている。排水ヘッダー６０の配管接続部６１は、実施形態１で説明したスラブ貫通型短管１０の下端接続部１４と基本的に等しい構造である。
排水ヘッダー６０の側面には軸方向に等間隔で複数個（図では三個）の横枝管受け部６４が設けられており、それらの横枝管受け部６４から約９０°回転した位置に蓋付の掃除口６５が設けられている。さらに、排水ヘッダー６０の側面には、中央の掃除口６５の反対側位置（１８０°回転した位置）に複数個（図では二個）の突起６８が設けられている。突起６８は、排水ヘッダー６０を排水管継手５０の横枝管受け口５４に接続したときに、その排水ヘッダー６０をコンクリートスラブＣＳの上面に対して平行に保持するための足として使用される。即ち、排水ヘッダー６０は、突起６８をコンクリートスラブＣＳの上面に当接させた状態で排水管継手５０の横枝管受け口５４に接続される。この状態で、横枝管受け部６４は横向きに保持され、蓋付の掃除口６５は上端部に保持される。
【００２６】
排水ヘッダー６０の横枝管受け部６４には、洗面所、浴室及び台所からの各排水横枝管（図示省略）が接続される。ここで、横枝管受け部６４は、実施形態１で説明したスラブ貫通型短管１０の下端接続部１４と基本的に等しい構造である。
また、排水ヘッダー６０の先端に設けられた配管接続部６１には、トイレからの排水横枝管６７が接続される。ここで、トイレ用の排水横枝管６７には、一般的に、呼び径８０ｍｍの耐火二層管が使用される。このため、トイレ用の排水横枝管６７を排水ヘッダー６０の配管接続部６１に接続するために、異径ソケット６９が使用される。
【００２７】
異径ソケット６９は、呼び径８０ｍｍの小受け口６９ｓと呼び径１００ｍｍの大受け口６９ｒとを備えており、小受け口６９ｓの軸心と大受け口６９ｒの軸心とが高さ方向に一定寸法だけずれた状態（偏心した状態）で形成されている。即ち、小受け口６９ｓの軸心高さは、コンクリートスラブＣＳの上面すれすれに配管される排水横枝管６７の軸心高さに合うように設定されており、大受け口６９ｒの軸心高さは、排水ヘッダー６０の軸心高さに合うように設定されている。そして、異径ソケット６９の大受け口６９ｒと排水ヘッダー６０の配管接続部６１とが呼び径１００ｍｍの耐火二層短管７０によって相互に接続されている。
【００２８】
上記したように、スラブ貫通型短管４０は、その肉厚寸法が排水管継手５０の下端部５６における肉厚寸法の約１．４倍から２．０倍の間に設定されているため、実施形態１のスラブ貫通型短管１０と同様の効果を得ることができる。
さらに、スラブ貫通型短管４０はテーパ部４３を備えている。このため、スラブ貫通型短管４０をコンクリートスラブＣＳの貫通孔ＣＨに通した後、その貫通孔ＣＨをモルタルＭで埋め戻すことにより、スラブ貫通型短管４０はテーパの働きで固化したモルタルＭに支持されるようになる。したがって、スラブ貫通型短管４０をコンクリートスラブＣＳに固定するための金具等が不要となる。
【００２９】
また、スラブ貫通型短管４０の内側壁には、流下する排水を螺旋状に旋回させるための旋回ガイド４７が設けられているため、排水管継手５０の胴部５１内に旋回ガイドを設ける必要がなくなる。
なお、本実施形態では、排水ヘッダー６０の配管接続部６１にトイレ用の排水横枝管６７を接続する例を示したが、図３に示すように、排水管継手５０の胴部５１の側面に新たな横枝管受け口５８を設け、その横枝管受け口５８にトイレ用の排水横枝管６７を接続することも可能である。このとき、排水ヘッダー６０の配管接続部６１は閉止蓋６１ｓで閉鎖しておく。
【００３０】
［実施形態３］
以下、図４、図５に基づいて、本発明の実施形態３に係る排水設備の説明を行う。
本実施形態は、実施形態１におけるスラブ貫通型短管１０の下端接続部１４の構造を変更したもので、その他の構造については実施形態１の場合と同様である。
本実施形態におけるスラブ貫通型短管８０の下端接続部８２は排水立て管８５の上部受け口８５ｕに挿入接続可能な状態で形成されている。即ち、スラブ貫通型短管８０は、下端接続部８２を除く部分が実施形態１のスラブ貫通型短管１０と同様に厚肉に形成されており、下端接続部８２が排水立て管８５の径寸法と等しくなるように薄肉に形成されている。
このため、スラブ貫通型短管８０の下端接続部８２を排水立て管８５の上部受け口８５ｕだけではなく、例えば、図５に示すように、Ｔ型継手８７の受け口８７ｕにも接続できるようになる。したがって、スラブ貫通型短管８０の利用範囲が広くなる。
【００３１】
［実施形態４］
以下、図６に基づいて、本発明の実施形態４に係る排水設備の説明を行う。
本実施形態に係る集合住宅の排水設備は、コンクリートスラブＣＳの貫通孔ＣＨに通されるスラブ貫通型管継手１００と、排水立て管３２及び排水横枝管（図示省略）とから構成されている。
スラブ貫通型管継手１００は、略筒状の胴部１０１を備えており、その胴部１０１の上端部に上部受け口１０２が形成されている。上部受け口１０２は、上階Ａの排水立て管３２が挿入接続される部分であり、実施形態１のスラブ貫通型短管１０の上部受け口１２と基本的に等しい構造で製作されている。排水立て管３２は耐火二層管であり、その排水立て管３２の内管３２ｅがスラブ貫通型管継手１００の上部受け口１０２に挿入接続された状態で、排水立て管３２の外管３２ｔと上部受け口１０２の上端面との間には耐火目地材３２ｘが挟持される。
【００３２】
スラブ貫通型管継手１００の胴部１０１の側面には、トイレ用の排水横枝管（図示省略）が接続される第１横枝管受け口１０３と、雑排水用の排水横枝管（図示省略）が接続される第２横枝管受け口１０４とが円周方向にほぼ９０°間隔で形成されている。ここで、第１横枝管受け口１０３及び第２横枝管受け口１０４の構造は上部受け口１０２とほぼ等しい構造で製作されている。
スラブ貫通型管継手１００の胴部１０１は、第１横枝管受け口１０３及び第２横枝管受け口１０４の下側がコンクリートスラブＣＳの貫通孔ＣＨに通されるスラブ貫通部１０５となっている。
【００３３】
スラブ貫通部１０５は、大径部１０５ｒ、テーパ部１０５ｔ及び小径部１０５ｓとから構成されており、小径部１０５ｓの下端部に下端接続部１０６が設けられている。下端接続部１０６の構造は、実施形態１のスラブ貫通型短管１０の下端接続部１４と基本的に等しい構造である。
なお、スラブ貫通型管継手１００の下端接続部１０６に接続された排水立て管３２の外管３２とその下端接続部１０６の第２フランジ１０６ｘとの間には耐火目地材３２ｘが挟持される。
スラブ貫通型管継手１００のスラブ貫通部１０５の大径部１０５ｒとテーパ部１０５ｔとの内側壁には流下する排水を螺旋状に旋回させる旋回ガイド１０７が設けられている。
【００３４】
スラブ貫通型管継手１００は鋳鉄製であり、スラブ貫通部１０５の外側に肉付けをすることで、そのスラブ貫通部１０５の肉厚寸法が胴部１０１の他の部分の肉厚寸法よりも大きく設定されている。スラブ貫通部１０５の肉厚寸法は、一般的に、排水立て管３２の内管３２ｅにおける肉厚寸法の１．２倍から１．７倍の間に設定されている。
このように、スラブ貫通型管継手１００のスラブ貫通部１０５の肉厚寸法が大きく設定されているため、横枝管受け口１０３から流入する排水がスラブ貫通部１０５の内側壁に衝突してもスラブ貫通型管継手１００の振動を抑えることができる。したがって、排水が流れる時の振動がスラブ貫通型管継手からコンクリートスラブを介して建物の室内に伝わり難くなり、室内での快適さを確保できる。
【００３５】
なお、実施形態１から実施形態４では、スラブ貫通型短管１０，４０，８０及びスラブ貫通型管継手１００を鋳鉄で形成する例を示したが、鋳鉄の代わりに樹脂で成形し、その表面を耐火繊維モルタル等で覆った耐火二層構造にすることも可能である。
【００３６】
【発明の効果】
本発明によると、スラブ貫通型短管には上階の排水管継手等の振動が伝わり難く、さらにスラブ貫通型短管自身も振動し難く構成されているため、スラブ貫通型短管からコンクリートスラブに伝わる排水時の振動を従来よりも小さくできる。このため、建物の各室に排水を流す時の振動が伝わり難くなり、室内での快適さを保持できるようになる。
【図面の簡単な説明】
【図１】本発明の実施形態１に係る排水設備を表す部分縦断面図である。
【図２】本発明の実施形態２に係る排水設備を表す部分縦断面図である。
【図３】排水設備の変更例を表す部分縦断面図である。
【図４】本発明の実施形態３に係る排水設備を表す部分縦断面図である。
【図５】本発明の実施形態３に係る排水設備を表す側面図である。
【図６】本発明の実施形態４に係る排水設備を表す部分縦断面図である。
【図７】従来の排水設備を表す部分縦断面図である。
【符号の説明】
ＣＳ    コンクリートスラブ
ＣＨ    貫通孔
Ｍ      モルタル
１０    スラブ貫通型短管
１２    上部受け口
１３    シール材
１４    下端接続部
１４ｓ  シール材
２０    排水管継手
２６    下端部
３２    排水立て管
４０    スラブ貫通型短管
４３    テーパ部
４７    旋回ガイド
８０    スラブ貫通型短管
８２    下端接続部
１００  スラブ貫通型管継手
１０５  スラブ貫通部
【図１】
2005036467.tif 000003
【図２】
2005036467.tif 000004
【図３】
2005036467.tif 000005
【図４】
2005036467.tif 000006
【図５】
2005036467.tif 000007
【図６】
2005036467.tif 000008
【図７】
2005036467.tif 000009